【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
接近アクティブ化ジェスチャ回路であって、
フィードバック回路であって、前記フィードバック回路は、
関連付けられた受信機回路と結合された第１のアクティブ化受信機電極と、
前記受信機回路の出力と結合されたドライバ回路と、
第１の伝送機電極と、
複数の第２の受信機電極および関連付けられた受信機回路と
によって形成され、
前記フィードバック回路は、前記伝送機電極と前記第１のアクティブ化受信機電極との間の第１の静電容量が閾値に達するときに発振し、それによって前記ジェスチャ回路をアクティブ化するように構成されている、フィードバック回路と、
前記第２の受信機電極からの信号を受信してジェスチャを判定するように構成された信号プロセッサ回路と
を備える、接近アクティブ化ジェスチャ回路。
【請求項２】
前記第１のアクティブ化受信機電極と前記第１の伝送機電極との間の第２の静電容量をさらに備える、請求項１に記載の接近アクティブ化ジェスチャ回路。
【請求項３】
前記第２の静電容量は、可変であり、制御回路によって制御される、請求項２に記載の接近アクティブ化ジェスチャ回路。
【請求項４】
前記受信機回路からの出力信号を受信および合計し、かつ総和信号を前記ドライバ回路にフィードする総和ノードをさらに備える、請求項１に記載の接近アクティブ化ジェスチャ回路。
【請求項５】
受信電極および前記信号処理回路と結合されたエンベロープ検出器をさらに備える、請求項４に記載の接近アクティブ化ジェスチャ回路。
【請求項６】
第２のアクティブ化受信機電極をさらに備え、前記フィードバック回路はさらに、前記第１の静電容量が閾値に達するとき、または前記伝送機電極と前記第２のアクティブ化受信機電極との間の第３の静電容量が別の閾値に達するときに、発振するように構成されている、請求項１に記載の接近アクティブ化ジェスチャ回路。
【請求項７】
第２のアクティブ化受信機電極をさらに備え、前記フィードバック回路はさらに、
前記第１の静電容量が閾値に達するときと、
前記伝送機電極と前記第２のアクティブ化受信機電極との間の第３の静電容量が別の閾値に達するときとの両方で、
発振するように構成されている、請求項１に記載の接近アクティブ化ジェスチャ回路。
【請求項８】
前記第１のアクティブ化受信機電極は、検出のための空間の１つの縁に設置され、前記第２のアクティブ化受信機電極は、検出のための前記空間の反対縁に設置されている、請求項１に記載の接近アクティブ化ジェスチャ回路。
【請求項９】
前記第１のアクティブ化受信機電極（１４０２）および前記第２のアクティブ化受信機電極（１４０８）は、仮想キーボードのスペースキーを表す空間の縁に設置されている、請求項１に記載の接近アクティブ化ジェスチャ回路。
【請求項１０】
前記複数の第２の受信機電極は、仮想キーボード内のジェスチャを検出するように配列されている、請求項１に記載の接近アクティブ化ジェスチャ回路。
【請求項１１】
前記複数の第２の受信機電極は、多次元移動を捕捉するように直線的に配列されている、請求項１に記載の接近アクティブ化ジェスチャ回路。
【請求項１２】
前記複数の第２の受信機電極は、前記回路に隣接する多次元移動を捕捉するように直線的に配列されている、請求項１に記載の接近アクティブ化ジェスチャ回路。
【請求項１３】
前記信号プロセッサ回路は、前記複数の第２の受信機電極からの振幅または位相データから、および前記第１のアクティブ化受信機電極からの周波数データから、前記ジェスチャを解釈するように構成され、
前記第１のアクティブ化受信機電極は、前記第１の伝送機電極に隣接し、
前記複数の第２の受信機電極は、監視される空間を画定するように配列されている、請求項１に記載の接近アクティブ化ジェスチャ回路。
【請求項１４】
接近アクティブ化ジェスチャ検出のための方法であって、
フィードバック回路を提供するステップであって、前記フィードバック回路は、
関連付けられた受信機回路と結合された第１のアクティブ化受信機電極と、
前記受信機回路の出力と結合されたドライバ回路と、
第１の伝送機電極と、
複数の第２の受信機電極および関連付けられた受信機回路と
によって形成されている、ステップと、
前記伝送機電極と前記第１のアクティブ化受信機電極との間の第１の静電容量が閾値に達するときに発振し、それによってジェスチャ回路をアクティブ化するように、前記フィードバック回路を構成するステップと、
前記フィードバック回路が発振するときに前記第２の受信機電極から受信される信号を処理して、ジェスチャを判定するステップと
を含む、方法。
【手続補正２】
【補正対象書類名】明細書
【補正対象項目名】００１２
【補正方法】変更
【補正の内容】
【００１２】
本開示の実施形態は、伝送機信号をアクティブ化し、近くの身体、スタイラス、指、手、または他のオブジェクトに強力に結合することができる、自己起動型伝送機・検出器アセンブリを含んでもよい。そのようなオブジェクトは、次いで、信号を他の受信機にパスしてもよい。結果として、オブジェクトの相対的位置および位置の変化が、測定され、有用なジェスチャに変換されてもよい。これは、これらの受信機と組み合わせて同一または異なる伝送機を用いて達成されてもよい。結果は、携帯電話、タッチスクリーン、コンピュータ、タブレット、および他のデバイス等の電子デバイスで使用される、容量、接近、タッチ、または他のセンサであってもよい。
本願明細書は、例えば、以下の項目も提供する。
（項目１）
接近アクティブ化ジェスチャ回路であって、
第１のアクティブ化受信機電極と、
第１の伝送機電極と、
複数の第２の受信機電極と、
前記第１のアクティブ化受信機電極による静電容量測定が閾値に達するときに、前記第１の伝送機電極および前記複数の受信機電極をアクティブ化するように構成されている、制御回路と、
前記第２の受信機電極からの測定をジェスチャとして解釈するように構成された信号プロセッサ回路と
を備える、接近アクティブ化ジェスチャ回路。
（項目２）
前記静電容量測定は、前記第１の伝送機電極が非アクティブであるときの前記第１のアクティブ化受信機電極と前記第１の伝送機電極との間の静電容量を含む、項目１に記載の接近アクティブ化ジェスチャ回路。
（項目３）
第２のアクティブ化受信機電極をさらに備え、前記制御回路はさらに、前記第１のアクティブ化受信機電極による前記静電容量測定が閾値に達するとき、または前記第２のアクティブ化受信機電極による静電容量測定が別の閾値に達するときに、前記第１の伝送機電極および前記複数の受信機電極をアクティブ化するように構成されている、項目１または項目２に記載の接近アクティブ化ジェスチャ回路。
（項目４）
第２のアクティブ化受信機電極をさらに備え、前記制御回路はさらに、
前記第１のアクティブ化受信機電極による前記静電容量測定が閾値に達するときと、
前記第２のアクティブ化受信機電極による静電容量測定が別の閾値に達するときとの両方で、
前記第１の伝送機電極および前記複数の受信機電極をアクティブ化するように構成されている、前記項目のうちの１項に記載の接近アクティブ化ジェスチャ回路。
（項目５）
前記第１のアクティブ化受信機電極は、検出のための空間の１つの縁に設置され、前記第２のアクティブ化受信機電極は、検出のための前記空間の反対縁に設置されている、前記項目のうちの１項に記載の接近アクティブ化ジェスチャ回路。
（項目６）
前記第１のアクティブ化受信機電極および前記第２のアクティブ化受信機電極は、仮想キーボードのスペースキーを表す空間の縁に設置されている、項目１−４のうちの１項に記載の接近アクティブ化ジェスチャ回路。
（項目７）
前記複数の第２の受信機電極は、仮想キーボード内のジェスチャを検出するように配列されている、前記項目のうちの１項に記載の接近アクティブ化ジェスチャ回路。
（項目８）
前記複数の第２の受信機電極は、多次元移動を捕捉するように直線的に配列されている、前記項目のうちの１項に記載の接近アクティブ化ジェスチャ回路。
（項目９）
前記複数の第２の受信機電極は、前記回路に隣接する多次元移動を捕捉するように直線的に配列されている、前記項目のうちの１項に記載の接近アクティブ化ジェスチャ回路。
（項目１０）
前記信号プロセッサ回路は、前記複数の第２の受信機電極からの振幅または位相データから、および前記第１のアクティブ化受信機電極からの周波数データから、前記ジェスチャを解釈するように構成され、
前記第１のアクティブ化受信機電極は、前記第１の伝送機電極に隣接し、
前記複数の第２の受信機電極は、監視される空間を画定するように配列されている、前記項目のうちの１項に記載の接近アクティブ化ジェスチャ回路。
（項目１１）
装置であって、
第１のアクティブ化受信機電極と、
第１の伝送機電極と、
複数の第２の受信機電極と、
前記第１のアクティブ化受信機電極による静電容量測定が閾値に達するときに、前記第１の伝送機電極および前記複数の受信機電極をアクティブ化するように構成されている、制御回路と、
前記第２の受信機電極からの測定をジェスチャとして解釈するように構成された信号プロセッサ回路と
を備える、装置。
（項目１２）
前記静電容量測定は、前記第１の伝送機電極が非アクティブであるときの前記第１のアクティブ化受信機電極と前記第１の伝送機電極との間の静電容量を含む、項目１１に記載の装置。
（項目１３）
第２のアクティブ化受信機電極をさらに備え、前記制御回路はさらに、前記第１のアクティブ化受信機電極による前記静電容量測定が閾値に達するとき、または前記第２のアクティブ化受信機電極による静電容量測定が別の閾値に達するときに、前記第１の伝送機電極および前記複数の受信機電極をアクティブ化するように構成されている、項目１１または項目１２に記載の装置。
（項目１４）
第２のアクティブ化受信機電極をさらに備え、前記制御回路はさらに、
前記第１のアクティブ化受信機電極による前記静電容量測定が閾値に達するときと、
前記第２のアクティブ化受信機電極による静電容量測定が別の閾値に達するときとの両方で、
前記第１の伝送機電極および前記複数の受信機電極をアクティブ化するように構成されている、項目１１−１３のうちの１項に記載の装置。
（項目１５）
前記第１のアクティブ化受信機電極は、検出のための空間の１つの縁に設置され、前記第２のアクティブ化受信機電極は、検出のための前記空間の反対縁に設置されている、項目１１−１４のうちの１項に記載の装置。
（項目１６）
前記第１のアクティブ化受信機電極および前記第２のアクティブ化受信機電極は、仮想キーボードのスペースキーを表す空間の縁に設置されている、項目１１−１４のうちの１項に記載の装置。
（項目１７）
前記複数の第２の受信機電極は、前記装置に隣接する仮想キーボード内のジェスチャを検出するように配列されている、項目１１−１６のうちの１項に記載の装置。
（項目１８）
前記複数の第２の受信機電極は、多次元移動を捕捉するように直線的に配列されている、項目１１−１７のうちの１項に記載の装置。
（項目１９）
前記複数の第２の受信機電極は、前記装置に隣接する多次元移動を捕捉するように直線的に配列されている、項目１１−１８のうちの１項に記載の装置。
（項目２０）
前記信号プロセッサ回路は、前記複数の第２の受信機電極からの振幅または位相データから、および前記第１のアクティブ化受信機電極からの周波数データから、前記ジェスチャを解釈するように構成され、
前記第１のアクティブ化受信機電極は、前記第１の伝送機電極に隣接し、
前記複数の第２の受信機電極は、監視される空間を画定するように配列されている、項目１１−１９のうちの１項に記載の装置。